(57)【要約】【課題】  本発明は、居住用建物用に美観を高め、通気性、採光性を失うことなく、小物や液体の落下や家具の足等がグレーチングのスリットに挟まることを防止することができるグレーチングフロア及びこのグレーチングフロアに用いられるパネル取付部材を提供することを目的とする。【解決手段】  本発明に係るパネル取付部材の代表的な構成は、グレーチング２上に複数の透明パネル３を所定間隔で取り付けるための弾性体で形成されたパネル取付部材４であって、グレーチング２と透明パネル３の間に設けられ、グレーチング２に嵌合するパネル受台座41と、パネル受台座41に嵌合して透明パネル３の縁部３ａをパネル受台座41とで挟持するパネル固定ピン42と、を有することを特徴とする。【選択図】    図２
2005194819.tif 000002
【特許請求の範囲】
【請求項１】
グレーチング上に複数の光の透過性の高いパネルを所定間隔で取り付けるための弾性体で形成されたパネル取付部材であって、
前記グレーチングと前記パネルの間に設けられ、前記グレーチングに嵌合するパネル受台座と、
該パネル受台座に嵌合して前記パネルの縁部を前記パネル受台座とで挟持するパネル押圧部材と、を有することを特徴とするパネル取付部材。
【請求項２】
前記パネル受台座は、前記パネルを支持するパネル受面と、該パネル受面の下部に突出し、前記グレーチングのスリットに嵌合する第一の嵌合部と、前記パネル受面の上部に突出し、前記パネルの縁部に当接して前記パネルの位置を決める位置決め凸部と、前記パネル押圧部材と嵌合する嵌合孔とを有し、
前記パネル押圧部材は、前記パネルを前記パネル受面に押圧する天板と、該天板の下部に突出し、前記パネル受台座の前記嵌合孔及び前記グレーチングの前記スリットに嵌合する第二の嵌合部とを有することを特徴とする請求項１に記載のパネル取付部材。
【請求項３】
前記嵌合孔は前記パネル受台座の中央に穿孔されており、
前記パネル受面は前記嵌合孔を中心に４枚の前記パネルの一角を支持する４面からなり、
前記位置決め凸部は前記嵌合孔を中心に前記４面のパネル受面のそれぞれの間に１つづつ４つ設けられ、各位置決め凸部が隣り合う２枚の前記パネルの縁部に当接することを特徴とする請求項２に記載のパネル取付部材。
【請求項４】
前記天板は、縁部を薄く形成し、中央に向けてなだらかに隆起していることを特徴とする請求項２に記載のパネル取付部材。
【請求項５】
グレーチングを所定間隔で貼設したグレーチング床層と、該グレーチング床層の上に、前記パネルを所定の間隔で敷き詰めた透明床層と、前記グレーチング上に前記パネルを取り付けるための請求項１〜請求項４のいずれか１項に記載のパネル取付部材と、を有することを特徴とするグレーチングフロア。 
【発明の詳細な説明】
【技術分野】
【０００１】
本発明は、グレーチング上に複数のパネルを所定間隔で取り付けるための弾性体で形成されたパネル取付部材及びこのパネル取付部材を用いたグレーチングフロアに関するものである。
【背景技術】
【０００２】
従来、柱梁からなる架構体に、グレーチングをボルト等のファスナーによって敷き並べたグレーチングフロアがあった（例えば、特許文献１参照）。グレーチングフロアは、安価に短期で施工可能であり、水はけが良く、通気性、採光性に優れているため、立体駐車場、工場等に用いられている。
【０００３】
一方、住宅においても、下階への採光確保の為、ベランダの床にグレーチングを使用することも行われている（例えば、非特許文献１、２参照）。
【０００４】
【特許文献１】実開平５−１２５１２号公報
【非特許文献１】「月刊住宅建築」、建築資料研究社、１９９７年５月１日、２６６号、Ｐ６４
【非特許文献２】「月刊住宅建築」、建築資料研究社、１９９８年３月１日、２７６号、Ｐ５３
【発明の開示】
【発明が解決しようとする課題】
【０００５】
しかしながら、上記従来のようなグレーチングフロアは、仮設建物的な印象を与え、居住用建物のフロアとしては、美観が悪く高級感に乏しいという問題があった。
【０００６】
また、グレーチングフロアを居住用建物のベランダ等に使用した場合に、コイン等の小さな物を落としたリ、飲み物等をこぼすと、グレーチングのスリットから下階へ直接落下したり、こぼれてしまう。また、テーブルやイスの足の先端等の細い物がグレーチングのスリットに挟まってしまうという問題があった。
【０００７】
そこで本発明は、グレーチングを居住用建物に用いた場合にも美観を損なわず、高級感を高め、通気性、採光性を失うことなく、小物や液体が下階へ直接落下することや家具の足等がグレーチングのスリットに挟まることを防止することができるグレーチングフロア及びこのグレーチングフロアに用いられるパネル取付部材を提供することを目的とする。
【課題を解決するための手段】
【０００８】
目的を達成するための本発明に係るパネル取付部材の第１の構成は、グレーチング上に複数の光の透過性の高いパネルを所定間隔で取り付けるための弾性体で形成されたパネル取付部材であって、前記グレーチングと前記パネルの間に設けられ、前記グレーチングに嵌合するパネル受台座と、該パネル受台座に嵌合して前記パネルの縁部を前記パネル受台座とで挟持するパネル押圧部材と、を有することを特徴とする。
【０００９】
また、本発明に係るパネル取付部材の第２の構成は、前記パネル受台座は、前記パネルを支持するパネル受面と、該パネル受面の下部に突出し、前記グレーチングのスリットに嵌合する第一の嵌合部と、前記パネル受面の上部に突出し、前記パネルの縁部に当接して前記パネルの位置を決める位置決め凸部と、前記パネル押圧部材と嵌合する嵌合孔とを有し、前記パネル押圧部材は、前記パネルを前記パネル受面に押圧する天板と、該天板の下部に突出し、前記パネル受台座の前記嵌合孔に嵌合する第二の嵌合部とを有することを特徴とする。
【００１０】
また、本発明に係るパネル取付部材の第３の構成は、第２の構成のパネル取付部材において、前記嵌合孔は前記パネル受台座の中央に穿孔されており、前記パネル受面は前記嵌合孔を中心に４枚の前記パネルの一角を支持する４面からなり、前記位置決め凸部は前記嵌合孔を中心に前記４面のパネル受面のそれぞれの間に１つづつ４つ設けられ、各位置決め凸部が隣り合う２枚の前記パネルの縁部に当接することを特徴とする。
【００１１】
また、本発明に係るパネル取付部材の第４の構成は、第２の構成のパネル取付部材において、前記天板は、縁部を薄く形成し、中央に向けてなだらかに隆起していることを特徴とする。
【００１２】
また、本発明に係るグレーチングフロアの構成は、グレーチングを所定間隔で貼設したグレーチング床層と、該グレーチング床層の上に、前記パネルを所定の間隔で敷き詰めた透明床層と、前記グレーチングと前記パネルと間に設けた第１〜第４の構成のいずれかに記載のパネル取付部材と、を有することを特徴とする。
【発明の効果】
【００１３】
以上説明したように、パネル取付部材を用いて、グレーチング上に光の透過性の高いパネルを所定の間隔で取り付けたことにより、パネルの質感やデザインによってグレーチングフロアの高級感を高めることができ、グレーチングフロアを居住用建物に用いることができる。また、通気性、採光性を失うことなく、小物や液体が下階へ直接落下したり、家具の足等がグレーチングのスリットに挟まってしまう可能性を低くすることができる。
【００１４】
また、パネル取付部材をゴム等の弾性体で形成し、パネル取付部材（パネル受台座）をグレーチングとパネルの間に設けた。これにより、パネル取付部材（パネル受台座）が緩衝材として機能し、パネルがグレーチングに当接して破損することを防止でき、さらに、パネルに加えられた衝撃をパネル受台座で吸収することにより、パネルの破損を防止することができる。
【００１５】
また、パネル取付部材の第一の嵌合部をグレーチングのスリットに嵌合させ、パネル取付部材をグレーチングに取り付けることにより、パネル取付部材の着脱を専門技能や専用工具を必要とすることなく簡単に行うことができる。さらに、パネルを小割にすることができる為、グレーチングフロアのメンテナンスを簡単に行うことができる。すなわち、パネルの運搬が容易であり、パネルの破損時に破損したパネルのみ交換すればよく、フロア全面交換が不要である。
【００１６】
また、天板は、縁部を薄く形成し、中央に向けて表面がなだらかに隆起するよう形成した。これにより、家具の足等がパネル押圧部材に引っかかったり、人がパネル押圧部材でつまずいたりすることを防止することができる。
【発明を実施するための最良の形態】
【００１７】
[第一実施形態]
本発明に係るパネル取付部材及びこのパネル取付部材を用いたグレーチングフロアの第一実施形態について、図を用いて説明する。図１（ａ）は本実施形態に係るグレーチングフロアの平面図、図１（ｂ）はグレーチングフロアの断面図、図２はパネル取付部材の構成図、図３はグレーチングフロアの平面詳細図、図４（ａ）グレーチングフロアの縦断面詳細図である。図４（ｂ）グレーチングフロアの横断面詳細図である。
【００１８】
図１に示すように、グレーチングフロア１は、グレーチング床層Ｌ１、透明床層Ｌ２、パネル取付部材４から構成されており、居住用建物のベランダの床部分等に用いられる。
【００１９】
グレーチング床層Ｌ１は、柱梁からなる架構５に複数のグレーチング２をボルト等のファスナーによって所定間隔で貼設して形成されている。透明床層Ｌ２は、グレーチング床層Ｌ１の上に、光の透過性の高いパネルとして複数の透明パネル３を所定の間隔で敷き詰めて形成されている。
【００２０】
グレーチング２は、縦長の鋼材等の金属に、横長のスリット２ａを所定間隔で格子状に形成したものである。本実施形態では、鋼板にパンチングで孔加工を施しスリット２ａを形成した日鐡建材工業（株）製の日鐡ファインフロア（商品名）を用いている。かかるグレーチング２は、パンチングで孔加工を施しスリット２ａの深さｈ（図４（ａ）参照）が一般的なグレーチングよりも浅くなっており、パネル取付部材４の嵌め込みが容易となる。
【００２１】
透明パネル３は、強度を高めた合せガラス等や、合せガラスの表面にガラス粉を焼き付けたスリップ防止効果のある防滑ガラス等である。尚、グレーチング２、透明パネル３は、上記の部材に限定されるものでなく、様々な形状、材質のものを使用することができる。
【００２２】
パネル取付部材４は、ゴム等の弾性体で正方形に形成されており、グレーチング２と透明パネル３の間に設けられ、グレーチング２上に透明パネル３を取り付けている。図２に示すように、パネル取付部材４は、パネル受台座41、パネル押圧部材42から構成されている。
【００２３】
パネル受台座41は、パネル受面41ａ、第一の嵌合部41ｂ、位置決め凸部41ｃから構成されており、中央に嵌合孔41ｄを穿孔している。嵌合孔41ｄは長方形に形成されており、嵌合孔41ｄの短辺がグレーチング２のスリット２ａと同じ幅となっている。
【００２４】
パネル受面41ａは、嵌合孔41ｄを中心として、位置決め凸部41ｃにより正方形の四隅の４面に仕切られている。パネル受面41ａは、１面ごとに１枚の透明パネル３の一角を支持し、４面で合計４枚の透明パネル３の１角を支持する。
【００２５】
第一の嵌合部41ｂは、パネル受面41ａの下部に突出し、グレーチング２のスリット２ａと嵌合するようにスリット２ａと同じ間隔で３列設けられている。また、第一の嵌合部41ｂは先端に、スリット２ａを通してグレーチング２の裏面に係止する係止部41ｅを有している。
【００２６】
位置決め凸部41ｃは、４面に仕切られたパネル受面41ａの各面の間に１つづつ合計４つ、嵌合孔41ｄを中心としてパネル受面41ａの上部に突出している。各位置決め凸部41ｃは、透明パネル３の厚さとほぼ同じ高さに形成され、パネル受面41ａに支持された隣り合う２枚の透明パネル３の縁部３ａに当接して透明パネル３の位置を決める。
【００２７】
パネル押圧部材42は、天板42ａ、第二の嵌合部42ｂから構成されており、パネル受台座41の嵌合孔41ｄに嵌合して透明パネル３の角をパネル受台座21とで挟持する。
【００２８】
天板42ａは、縁部を薄く形成し、中央に向けて表面がなだらかに隆起するよう形成されており、裏面で透明パネル３をパネル受面41ａに押圧する。第二の嵌合部42ｂは、天板42ａの下部に突出し、パネル受台座41の嵌合孔41ｄ及びグレーチング２のスリット２ａに嵌合する。第二の嵌合部42ｂは先端に、嵌合孔41ｄ及びスリット２ａを通してグレーチング２の裏面に係止する係止部42ｃを有している。
【００２９】
尚、グレーチング２は、上記の形状に限定されるものでなく、通常使用されている様々な形状のグレーチングを用いることができる。また、パネル取付部材４は、正方形に限定されるものでなく、長方形、６角形等の多角形、円形、楕円形等、多様な形状とすることができる。
【００３０】
ここで、パネル取付部材４を用いたグレーチング２上への透明パネル３の取り付けについて説明する。図３、図４に示すように、まず、グレーチング２の横方向中央にパネル取付部材４のパネル受台座41を取り付ける。パネル受台座41は、第一の嵌合部41ｂをスリット２ａに嵌合し、係止部41ｅをグレーチング２の裏面に係止している。同様にして、グレーチング２の縦方向に所定間隔でパネル受台座41を取り付け、さらに、グレーチング２の横に所定の間隔を空けて設置したグレーチング２にも同様にパネル受台座41を取り付ける。
【００３１】
次に、縦方向に所定間隔で取り付けられた２つのパネル受台座41と、同様にして横のグレーチング２に取り付けられた２つのパネル受台座41のパネル受面41ａに、透明パネル３の４隅を載置する。パネル受台座41に載置された透明パネル３は、各パネル受台座41の位置決め凸部41ｃ（図２参照）で４隅を位置決めされる。
【００３２】
続いて、各パネル受台座41の嵌合孔41ｄにパネル押圧部材42の第二の嵌合部42ｂを嵌合させ、パネル受台座41にパネル押圧部材42を取り付ける。この状態で、第二の嵌合部42ｂはスリット２ａを貫通し、第二の嵌合部42ｂ先端の係止部42ｃがグレーチング２の裏面に係止し、天板42ａが透明パネル３の縁部３ａをパネル受面41ａに押圧する。
【００３３】
また、フロアの壁と接する透明パネル３の縁部３ａには、パネル取付部材４に変えてゴム等の弾性体で形成されたコの字状のエッジ用パッキン６を取り付け、エッジ用パッキン６により透明パネル３の縁部３ａを支持する。エッジ用パッキン６は、寸法調整の為に、透明パネル３を現場で加工した際に、透明パネル３の縁部３ａを被覆し、安全性を高める機能も有している。尚、パネル取付部材４の片側２面のパネル受面41ａとその間の第一の嵌合部41ｂを除いた形状のパネル取付部材を用いてフロアの壁と接する透明パネル３を取り付けてもよい。
【００３４】
このパネル取付部材４を用いたグレーチング２への透明パネル３の取り付けをフロア全体に行うことで、グレーチングフロア１を形成する。尚、本実施形態では、透明パネル３をフロア全体に取り付けたが、フロアの一部に取り付けてもよい。
【００３５】
尚、本実施形態に係る透明パネル３のサイズや間隔はニーズや条件に応じて設定、変更可能である。例えば、透明パネル３のサイズを小さくして小割にしたり、位置決め凸部41ｃの幅を広げて透明パネル３の間隔を広げて通気性を高めることができる。逆に、透明パネル３のサイズを大きくしたり、位置決め凸部41ｃの幅を狭くして透明パネル３の間隔を詰めて、グレーチングフロア１の隙間や凹凸を減らすことができる。透明パネル３のサイズは、透明パネル３の強度に制限され、透明パネル３の強度が大きい場合には大型のパネルを用いることができる。
【００３６】
上述のごとく、パネル取付部材４を用いて、グレーチング２上に透明パネル３を所定の間隔で取り付けた。これにより、透明パネル３の質感やデザインによってグレーチングフロア１の高級感を高めることができ、グレーチングフロア１を居住用建物に用いることができる。また、透明パネル３に防滑ガラスを用いることにより、さらにグレーチングフロア１の魅力を高めることができる。また、通気性、採光性を失うことなく、小物や液体下階へ直接落下したり、家具の足等がグレーチングのスリットに挟まってしまう可能性を低くすることができる。
【００３７】
また、パネル取付部材４をゴム等の弾性体で形成し、パネル受台座41をグレーチング２と透明パネル３の間に設けた。これにより、パネル取付部材４（パネル受台座41）が緩衝材として機能し、透明パネル３がグレーチング２に当接して破損することを防止でき、さらに、透明パネル３に加えられた衝撃をパネル受台座41で吸収することにより、透明パネル３の破損を防止することができる。
【００３８】
また、パネル取付部材４の第一の嵌合部41ｂ、第二の嵌合部42ｂをグレーチング２のスリット２ａに嵌合させ、パネル取付部材４をグレーチング２に取り付けることにより、パネル取付部材４の着脱を専門技能や専用工具を必要とすることなく簡単に行うことができる。さらに、透明パネル３が小割になる為、グレーチングフロア１のメンテナンスを簡単に行うことができる。すなわち、透明パネル３の運搬が容易であり、透明パネル３の破損時に破損した透明パネル３のみ交換すればよく、フロア全面交換が不要である。
【００３９】
また、天板42ａは、縁部を薄く形成し、中央に向けて表面がなだらかに隆起するよう形成した。これにより、家具の足等がパネル押圧部材42に引っかかったり、人がパネル押圧部材42でつまずいたりすることを防止することができる。
【００４０】
[第二実施形態]
次に本発明に係るパネル取付部材及びこのパネル取付部材を用いたグレーチングフロアの第二実施形態について図を用いて説明する。図５（ａ）は本実施形態に係るパネル取付部材の構成図、図５（ｂ）はパネル取付部材及び透明パネルの平面詳細図である。上記第一実施形態と説明の重複する部分については、同一の符号を付して説明を省略する。図５に示すように、本実施形態に係るグレーチングフロアは、上記第一実施形態にかかる透明パネル３、パネル取付部材４を、透明パネル７、パネル取付部材８としたものである。
【００４１】
透明パネル７は、上記第一実施形態の透明パネル３の４つの角に、パネル取付部材８の位置決め凸部81ｃに沿って切り込み部７ａを形成したものである。切り込み部７ａの切り込みの深さを変えることにより隣り合う２枚の透明パネル７の間隔Ｓを調整することができる。
【００４２】
パネル取付部材８は、上記第一実施形態のパネル取付部材４のように位置決め凸部41ｃによりパネル受面41ａを４面に完全に仕切ることなく、パネル受面81ａが嵌合孔81ｄ及び位置決め凸部81ｃを囲うように形成したものである。パネル取付部材８は、パネル受台座81、パネル押圧部材82から構成されている。
【００４３】
パネル受台座81は、パネル受面81ａ、第一の嵌合部81ｂ、位置決め凸部81ｃから構成されており、中央に嵌合孔81ｄを穿孔している。嵌合孔81ｄは長方形に形成されており、嵌合孔81ｄの短辺がグレーチング２のスリット２ａと同じ幅となっている。
【００４４】
パネル受面81ａは、嵌合孔81ｄを中心として、４枚の透明パネル７の１角を支持する。第一の嵌合部81ｂは、パネル受面81ａの下部に突出し、グレーチング２のスリット２ａと嵌合するようにスリット２ａと同じ間隔で３列設けられている。また、第一の嵌合部81ｂは先端に、スリット２ａを通してグレーチング２の裏面に係止する係止部81ｅを有している。
【００４５】
位置決め凸部81ｃは、長方形に穿孔された嵌合孔81ｄの各辺に１つづつ合計４つ設けられ、嵌合孔81ｄを中心としてパネル受面81ａの上部に突出している。各位置決め凸部81ｃは、透明パネル７の厚さとほぼ同じ高さに形成され、パネル受面81ａに支持された隣り合う２枚の透明パネル７の切り込み部７ａに当接して透明パネル７の位置を決める。
【００４６】
パネル押圧部材82は、天板82ａ、第二の嵌合部82ｂから構成されており、パネル受台座81の嵌合孔81ｄに嵌合して透明パネル７の角をパネル受台座21とで挟持する。
【００４７】
天板82ａは、縁部を薄く形成し、中央に向けて表面がなだらかに隆起するよう形成されており、裏面で透明パネル８をパネル受面81ａに押圧する。第二の嵌合部82ｂは、天板82ａの下部に突出し、パネル受台座81の嵌合孔81ｄ及びグレーチング２のスリット２ａに嵌合する。第二の嵌合部82ｂは先端に、嵌合孔81ｄ及びスリット２ａを通してグレーチング２の裏面に係止する係止部82ｃを有している。
【００４８】
上述のごとく、透明パネル７の角に位置決め凸部81ｃに沿って切り込み部７ａを形成し、切り込み部７ａの切り込みの深さにより隣り合う２枚の透明パネル７の間隔Ｓを調整可能とした。これにより、上記第一実施形態の効果に加えて、透明パネル７の間隔Ｓを広げて通気性を高めたり、透明パネル７の間隔Ｓを詰めてグレーチングフロア１の隙間を少なくして、小物や液体下階へ直接落下したり、家具の足等がグレーチングのスリットに挟まってしまう可能性をさらに低くすることができる。
【産業上の利用可能性】
【００４９】
本発明の活用例として、ペデストリアンデッキといわれる公共物の人工地盤面等にグレーチングフロアを用いることができる。
【図面の簡単な説明】
【００５０】
【図１】（ａ）第一実施形態に係るグレーチングフロアの平面図である。（ｂ）グレーチングフロアの断面図である。
【図２】パネル取付部材の構成図である。
【図３】グレーチングフロアの平面詳細図である。
【図４】（ａ）グレーチングフロアの縦断面詳細図である。（ｂ）グレーチングフロアの横断面詳細図である。
【図５】（ａ）第二実施形態に係るパネル取付部材の構成図である。（ｂ）パネル取付部材及び透明パネルの平面詳細図である。
【符号の説明】
【００５１】
Ｌ１  …グレーチング床層
Ｌ２  …透明床層
１    …グレーチングフロア
２    …グレーチング
２ａ  …スリット
３、７    …透明パネル
３ａ  …縁部
４、８    …パネル取付部材
５    …架構
６    …エッジ用パッキン
７ａ  …切り込み部
41、81    …パネル受台座
41ａ、81ａ  …パネル受面
41ｂ、81ｂ  …第一の嵌合部
41ｃ、81ｃ  …位置決め凸部
41ｄ、81ｄ  …嵌合孔
41ｅ、81ｅ  …係止部
42、82    …パネル押圧部材
42ａ、82ａ  …天板
42ｂ、82ｂ  …第二の嵌合部
42ｃ、82ｃ  …係止部
【図１】
2005194819.tif 000003
【図２】
2005194819.tif 000004
【図３】
2005194819.tif 000005
【図４】
2005194819.tif 000006
【図５】
2005194819.tif 000007